(57)【要約】【課題】ユーザが香りを十分に感じることができ、且つ不所望の香りの放出を抑えることができる香り見本容器を提供する。【解決手段】芳香体２０を収容する芳香体収容部３０を備えた香り見本容器において、一端が芳香体収容部３０の内部に挿入された筒状の送気管４２と、送気管４２の他端に接続された弾性変形可能な中空の変形部４１と有し、変形部４１の内部空間が送気管４２と連通しているポンプ４０と、芳香体収容部３０に設けられたノズル３８とを設ける。ユーザがポンプ４０変形部４１を押圧することによって送気管４２から芳香体収容部３０内の芳香体２０に空気が吹き付けられ、これにより芳香体２０から放散された芳香成分を含む空気がノズル３８から外部に噴出する。このような構成とすることにより、芳香成分を高濃度で含む気体を必要なときだけ噴射することが可能となる。【選択図】図１
2019094114.tif 000002
【特許請求の範囲】
【請求項１】
a) 芳香体を収容する芳香体収容部と、
b) 一端が前記芳香体収容部の内部に挿入された筒状の送気管と、前記送気管の他端に接続された弾性変形可能な中空の変形部とを有し、該変形部の内部空間が該送気管と連通しているポンプと、
c) 前記芳香体収容部に設けられた排気口と、
を有することを特徴とする香り見本容器。
【請求項２】
前記芳香体収容部が、上面が開放された有底の筒状体から成る本体部と、前記本体部の上部に取り付けられる蓋部とを有するものであって、
前記送気管の一端が該蓋部に設けられた開口から前記本体部に挿入されていると共に、
前記排気口が前記蓋部に設けられていることを特徴とする請求項１に記載の香り見本容器。
【請求項３】
前記芳香体収容部が、縦に二分割可能に構成されており、
前記送気管が、前記二分割された芳香体収容部の一方の部分と他方の部分との間に挟持されていることを特徴とする請求項１に記載の香り見本容器。
【請求項４】
請求項１〜３のいずれかに記載の香り見本容器と、
前記芳香体収容部に収容された、前記排気口を通過しない大きさの芳香体と、
を有することを特徴とする香り見本。
【発明の詳細な説明】
【技術分野】
【０００１】
本発明は、店頭において柔軟剤やシャンプー等の芳香性商品の香りを買い物客に嗅がせるための香り見本に関する。
【背景技術】
【０００２】
近年、柔軟剤、シャンプー、又は芳香剤等の香りを発する商品の売り場では、買い物客に商品の香りを試しに嗅がせるためのテスター（香り見本）が広く設置されている。こうした香り見本としては、例えば特許文献１に記載のように、中空のプラスチック容器に商品の香りを保持させた粒状の芳香体を収容し、容器に形成された孔に買い物客が鼻を近づけることで香りを嗅げるようにしたものや、特許文献２に記載のように、キャップによって開閉可能な容器に芳香体を収容し、買い物客がキャップを開けて香りを嗅げるようにしたものなどがある。
【先行技術文献】
【特許文献】
【０００３】
【特許文献１】特開2017-012563号公報
【特許文献２】特開2005-021572号公報（図6）
【発明の概要】
【発明が解決しようとする課題】
【０００４】
上記従来の香り見本は、いずれも芳香体から自然に放出される香りをユーザ（買い物客）に嗅がせるものであるため、ユーザが十分に香りを感じられない場合があった。このような場合、ユーザが香りを強く感じられるように芳香体に含まれる芳香成分の濃度を高めることが考えられるが、その場合、売り場に香りが充満して買い物客に不快感を与えたり、売り場に配置された複数の香り見本から放出される香り同士が混ざり合って判別が困難となったりする場合がある。なお、上記特許文献２に記載の香り見本のようにキャップを備えたものとした場合でも、ユーザが使用後に蓋を適切に閉めなかった場合には同様の問題が発生する。
【０００５】
本発明は上記課題を解決するために成されたものであり、その目的とするところは、ユーザが香りを十分に感じることができ、且つ不所望の香りの放出を抑えることができる香り見本容器及びこれを用いた香り見本を提供することにある。
【課題を解決するための手段】
【０００６】
上記課題を解決するために成された本発明に係る香り見本容器は、
a) 芳香体を収容する芳香体収容部と、
b) 一端が前記芳香体収容部の内部に挿入された筒状の送気管と、前記送気管の他端に接続された弾性変形可能な中空の変形部とを有し、該変形部の内部空間が該送気管と連通しているポンプと、
c) 前記芳香体収容部に設けられた排気口と、
を有することを特徴としている。
【０００７】
前記本発明に係る香り見本容器は、
前記芳香体収容部が、上面が開放された有底の筒状体から成る本体部と、前記本体部の上部に取り付けられる蓋部とを有するものであって、
前記送気管の一端が該蓋部に設けられた開口から前記本体部に挿入されていると共に、
前記排気口が前記蓋部に設けられているものとすることができる。
【０００８】
また、前記本発明に係る香り見本容器は、
前記芳香体収容部が、縦に二分割可能に構成されており、
前記送気管が、前記二分割された芳香体収容部の一方の部分と他方の部分との間に挟持されるものとしてもよい。
【０００９】
上記課題を解決するために成された本発明に係る香り見本は、
前記いずれかの香り見本容器と、
前記芳香体収容部に収容された、前記排気口を通過しない大きさの芳香体と、
を有することを特徴としている。
【発明の効果】
【００１０】
上記本発明に係る香り見本容器及びそれを用いた香り見本によれば、ユーザがポンプの変形部を押圧することによって送気管から芳香体収容部内の芳香体に空気が吹き付けられ、これにより芳香体から放散された芳香成分を含む空気が排気口から外部に噴出する。これにより、芳香成分を高濃度で含む気体を必要なときだけ噴射することが可能となる。
【図面の簡単な説明】
【００１１】
【図１】本発明の第１の実施形態に係る香り見本を示す側面図。
【図２】前記香り見本を構成する香り見本容器の断面図であり、(a)は香り見本容器を組み立てた状態を示し、(b)は香り見本容器を分解した状態を示す。
【図３】前記香り見本の組み立て手順を示す模式図。
【図４】本発明の第２の実施形態における香り見本容器を示す斜視図。
【図５】前記香り見本容器の分解図。
【図６】前記香り見本の組み立て手順を示す模式図。
【図７】本発明におけるポンプの別の例を示す側面図。
【発明を実施するための形態】
【００１２】
以下、本発明を実施するための形態について図面を参照しつつ説明を行う。図１は本発明の第１の実施形態に係る香り見本の側面図であり、図２は本実施形態に係る容器の断面図、図３は前記香り見本の組み立て手順を説明する模式図である。
【００１３】
本実施形態に係る香り見本は、香り見本容器１０と、その内部に収容された粒状の芳香体２０とを含んでおり、香り見本容器１０は、更に、芳香体収容部３０と、その上部に取り付けられたポンプ４０とを備えている。
【００１４】
ポンプ４０は軟質の樹脂から成り、中空の変形部４１と筒状の送気管４２とを備えている。変形部４１は下方に突出したすり鉢状の底面４１ａと、円形の上面４１ｂと、底面４１ａ及び上面４１ｂを繋ぐ蛇腹状の周面４１ｃとを備えている。送気管４２は、変形部４１の底面中央から下方に延びており、その先端は芳香体収容部３０の内底面の近傍に位置している。なお、送気管４２の内部空間と変形部４１の内部空間は常時連通した状態となっている。
【００１５】
芳香体収容部３０は、本体３１と蓋３２を備えている。本体３１は透明な硬質樹脂から成る有底円筒形の部材であり、蓋３２は本体の上部に設けられた開口を閉鎖する硬質樹脂製の部材である。なお、本体３１の外周面の上部には第１のネジ山３３が形成されており、蓋３２の内周面には第１のネジ山３３と対応する第２のネジ山３４が形成されている。蓋３２の周面には蓋の内外を連通する貫通孔３７（本発明における「排気口」に相当）を備えたノズル３８が設けられている。また、蓋３２の上面にはポンプ４０の変形部４１の底面形状に対応したすり鉢状の凹部３５が形成されており、凹部３５の中央にはポンプ４０の送気管４２を挿通するための円形の開口である送気管挿通口３６が設けられている。
【００１６】
本実施形態における芳香体２０は、セルロースやセラミック等から成る直径数ミリ（例えば2〜4mm）の多孔質の粒状体に、芳香性物質を保持させたものである。なお、芳香体収容部３０のノズル３８から芳香体２０がこぼれ出すことがないよう、芳香体２０としては、その直径がノズル３８の貫通孔３７の直径よりも小さいものを使用する。
【００１７】
本実施形態に係る香り見本を組み立てる際には、図３に示すように、予め蓋３２にポンプ４０を取り付けておき、この蓋３２を、芳香体２０を収容した本体３１の上部に螺合させる。なお、蓋３２にポンプ４０を取り付ける際には、ポンプ４０の送気管４２を蓋３２の上面に設けられた送気管挿通口３６に上方から挿通し、変形部４１の底面を蓋３２の上面に設けられたすり鉢状の凹部３５に嵌め込んで固定する。このとき、ポンプ４０は、接着剤や粘着材によって蓋３２に固定してもよく、あるいは嵌合によって蓋３２に固定するようにしてもよい。
【００１８】
ポンプ４０の送気管４２の長さは、香り見本を組み立てた状態でその先端（下端）が本体３１の内底面近傍に位置するように設定されている。そのため、上記のように香り見本容器を組み立てると、送気管４２の先端が芳香体２０中に埋まった状態となる（図１参照）。
【００１９】
以上のようにして組み立てられた香り見本は、柔軟剤、芳香剤、シャンプー、又はボディソープ等の芳香性の商品の売り場に配置される。この香り見本を買い物客（ユーザ）が手にとってポンプ４０を操作すると（すなわち変形部４１を押し潰すと）、変形部４１内の空気が送気管４２の先端から噴出し、本体３１に収容された芳香体２０に吹き付けられる。これにより芳香体２０に含まれる芳香成分が放出され、この芳香成分を含んだ空気がノズル３８から外部に噴出される。なお、上述の通り、送気管４２の先端は容器の底付近に位置しているため、上記のように送気管４２の先端から空気を噴出すると芳香体収容部３０内に下から上に向かう空気の流れが形成され、これにより芳香体収容部３０に収容された芳香体２０の全体からまんべんなく芳香成分を放散させることができる。なお、ユーザが変形部４１から手を離すと、押し潰されていた変形部４１が復元するのに伴ってノズル３８から外気が吸引され、変形部４１内が再び空気で満たされる。
【００２０】
このように、本実施形態に係る香り見本によれば、ポンプ４０から送り出された空気を芳香体２０に吹き付けることによって、芳香体２０から芳香成分を効果的に放出させることができる。そのため、ユーザが香りを強く感じられるように、ビーズに多量の香気成分を含有させたり、芳香を放出するための開口を大きくしたりする必要がない。その結果、香り見本が発する香りが売り場に充満して買い物客に不快感を与えたり、複数の香り見本が発する香り同士が混ざり合って判別できなくなったりするのを防止することができる。
【００２１】
なお、上記実施例では、送気管４２の先端を芳香体収容部３０の内底面の近傍に位置させるようにしたが、送気管４２の先端位置はこれに限定されるものではない。但し、芳香体２０全体から効率よく芳香成分を放出させるためには、少なくとも送気管４２の先端を芳香体収容部３０の高さ方向の中央よりも下方に位置させることが望ましい。
【００２２】
続いて、本発明の第２の実施形態に係る香り見本について図４〜図６を参照しつつ説明する。図４は本実施形態における香り見本容器の斜視図であり、図５は前記香り見本容器の分解図である。また、図６は本実施形態における香り見本の組み立て手順を説明する図である。
【００２３】
本実施形態における香り見本容器５０は、第１の実施形態のものと同様に、芳香体収容部６０と芳香体収容部６０に空気を送り込むためのポンプ８０とを備えている。但し、芳香体収容部６０は本体と蓋とに分かれておらず、代わりに縦方向に二分割できる構成となっている。なお、ポンプ８０の形状は第１の実施形態のものとほぼ同じである。
【００２４】
芳香体収容部６０は、有底の円筒形状を有しており、上面にポンプ８０の変形部８１を嵌め込むためのポンプ取付用開口（図示略）を有している。また、芳香体収容部６０の側面の上部には芳香体収容部６０の内外を連通させる貫通孔６１（本発明における「排気口」に相当）を備えたノズル６２が設けられている。更に、芳香体収容部６０の内部には、ポンプ８０の送気管８２を支持するための送気管支持部６３が高さ方向に等間隔で３箇所設けられている。送気管支持部６３は芳香体収容部６０の内周面から水平方向に延びる板状の部材であり、その中心には送気管８２を嵌め込むための円形の孔（図示略）が形成されている。なお、送気管支持部６３は、芳香体収容部６０の内部における空気の流通を妨げることがないよう、いずれもその面積が芳香体収容部６０の水平方向の断面積よりも小さくなっている。
【００２５】
芳香体収容部６０は、ポンプ取付用開口の中心軸とノズル６２の貫通孔６１の中心軸とを含む平面で二つの部材に分割可能に構成されており、これら二つの部材は、前記平面を挟んでほぼ対称な形状を有している。但し、一方の部材（以下、第１部材６４とよぶ）の上部には水平方向に延びる二つの小突起６６ａ、６６ｂが設けられており、他方の部材（以下、第２部材６５とよぶ）には小突起６６ａ、６６ｂを嵌め込むための二つの凹部６７ａ、６７ｂが設けられている。更に、第１部材６４の底面板（芳香体収容部６０の底面を形成する半円形の部材。以下同じ。）６８の側面からは半円形の板状突起６９が水平方向に突出しており、第２部材６５の底面板７０には板状突起６９を嵌め込むための半円形凹部７１が形成されている。なお、芳香体収容部６０内に設けられた送気管支持部６３も、前記平面によって、それぞれ第１部材側の部分６３ａと第２部材側の部分６３ｂとに二分される。
【００２６】
本実施形態に係る香り見本を組み立てる際には、図６に示すように、水平に寝かせた第１部材６４に芳香体９０を収容し、送気管支持部６３の第１部材側の部分６３ａの上にポンプ８０の送気管８２を載せ、更にその上に第２部材６５を被せる。このとき、第１部材６４の小突起６６ａ、６６ｂ及び板状突起６９を、それぞれ第２部材の凹部６７ａ、６７ｂ及び半円凹部７１に嵌合させることで第１部材６４と第２部材６５を互いに固定する。なお、ポンプ８０は、その送気管８２が送気管支持部６３の第１部材側の部分６３ａと、第２部材側の部分６３ｂとで挟持されることで芳香体収容部６０に固定される。
【００２７】
以上、本発明を実施するための形態について具体例を挙げて説明を行ったが、本発明は上記実施形態に限定されるものではなく、本発明の趣旨の範囲で適宜変更が許容される。例えば、本発明に係る香り見本容器におけるポンプは、上述のような蛇腹状の変形部を備えたものに限定されるものではなく、弾性体から成り、ユーザが変形部を押圧することによって排気を行い、押圧解除後の形状復帰に伴って吸気を行うものであればいかなるものであってもよい。例えば、図７に示すような平滑な袋状の変形部１０１を備えたポンプ１００を用いることができる。また、上記実施形態では芳香体収容部を円筒形としたが、これに限らず、例えば角筒状などとすることもできる。
【００２８】
更に、本発明に係る香り見本における芳香体は、芳香体収容部の排気口を通過しない大きさのものであれば、図１及び図３に示すような粒状のもののほか、繊維状、ゲル状など、いかなる形態のものを用いてもよい。また、繊維状の芳香体としては、例えば、ガーゼ、コットン、布帛、又は紙等に芳香性の液体を染みこませたものを用いることができる。また、ゲル状の芳香体としては、例えば、芳香性の液体を凝固剤で固めたものや、高吸水性ポリマーに芳香性の液体を吸収させたものなどを用いることができる。なお、ゲル状の芳香体は一つの塊の状態で芳香体収容部に収容するほか、複数の粒状の状態で芳香体収容部に収容するようにしてもよい。
【符号の説明】
【００２９】
１０、５０…香り見本容器
４０、８０…ポンプ
４１、８１…変形部
４２、８２…送気管
２０、９０…芳香体
３０、６０…芳香体収容部
３１…本体
３２…蓋
３７、６１…貫通孔
３８、６２…ノズル
６３…送気管支持部
６４…第１部材
６５…第２部材
【図１】
2019094114.tif 000003
【図２】
2019094114.tif 000004
【図３】
2019094114.tif 000005
【図４】
2019094114.tif 000006
【図５】
2019094114.tif 000007
【図６】
2019094114.tif 000008
【図７】
2019094114.tif 000009